(57)【特許請求の範囲】
【請求項１】
貫通部を介して母線ケース（ＳＳＧ）にフランジ結合されかつ母線ケース（ＳＳＧ）とは反対側でもう１つの貫通部を介してケーブル接続ケース（ＫＡＧ）に接続されている遮断器ケース（ＬＳＧ）を備え、母線ケース（ＳＳＧ）と、遮断器ケース（ＬＳＧ）と、ケーブル接続ケース（ＫＡＧ）とが縦方向に配置されている密閉形中圧開閉設備において、
１．１．ケーブル接続ケース（ＫＡＧ）が外部に対して気密に閉鎖され、かつ上側のケース部（ＧＴＯ）と下側のケース部（ＧＴＵ）とにより構成され、
１．２．上側のケース部（ＧＴＯ）はこのケース部（ＧＴＯ）を越えて横方向に突出する第一の支持板（ＴＰ１）によって下側のケース部（ＧＴＵ）に接続され、第一の支持板（ＴＰ１）は電流導体（ＳＴＳ）のための貫通領域（ＤＧＢ）を有し、
１．３．上側のケース部（ＧＴＯ）は下側のケース部（ＧＴＵ）に対して断面寸法を縮小され、
１．４．第一の支持板（ＴＰ１）には少なくとも１つの環状鉄心変流器（ＲＫＷ）が載置されている
ことを特徴とする密閉形中圧開閉設備。
【請求項２】
請求項１記載の密閉形中圧開閉設備において、
２．１．下側のケース部（ＧＴＵ）が下側のケース部（ＧＴＵ）を越えて横方向に突出する第二の支持板（ＴＰ２）によって外部に対して気密に閉鎖され、
２．２．第二の支持板（ＴＰ２）には上側のケース部（ＧＴＯ）の環状鉄心変流器（ＲＫＷ）に無関係なもう１つの環状鉄心変流器（ＲＫＷ′）が取付けられている
ことを特徴とする密閉形中圧開閉設備。
【請求項３】
請求項２記載の密閉形中圧開閉設備において、
３．１．第一の支持板（ＴＰ１）及び第二の支持板（ＴＰ２）が円形に形成され、
３．２．第一の支持板（ＴＰ１）及び第二の支持板（ＴＰ２）が、全ての環状鉄心変流器（ＲＫＷ、ＲＫＷ’）をそのそれぞれのコイルケース（ＳＰＧ、ＳＰＧ’）とともに対応の第一及び第二の支持板（ＴＰ１、ＴＰ２）によって支持できる大きさを有する
ことを特徴とする密閉形中圧開閉設備。
【発明の詳細な説明】
本発明は、貫通部を介して母線ケースにフランジ結合されかつ母線ケースとは反対側でもう１つの貫通部を介してケーブル接続ケースに接続されている遮断器ケースを備え、母線ケースと、遮断器ケースと、ケーブル接続ケースとが縦方向に配置されている密閉形中圧開閉設備に関する。
このような密閉形中圧開閉設備はシーメンス社の刊行物「中圧開閉設備」カタログＨＡ３５．１１、１９９３年、２５ページから公知である。そこでは環状鉄心変流器がガス充填されたケーブル接続ケースの外に配置され、公知の方法で二次巻線を形成している。変流器の一次巻線はこれに対して電流導体自体によって実現される。
変流器の寸法は主としてケーブル接続ケース内のケーブルコネクタの必要スペースに合わせて決められている。
本発明の課題は、コンパクトな外形寸法を有しコストを削減できる冒頭で述べた密閉形中圧開閉設備を提供することにある。
この課題は、本発明によれば
１．１．ケーブル接続ケースが外部に対して気密に閉鎖され、かつ上側のケース部と下側のケース部とにより構成され、
１．２．上側のケース部はこのケース部を越えて横方向に突出する第一の支持板によって下側のケース部に接続され、第一の支持板は電流導体のための貫通領域を有し、
１．３．上側のケース部は下側のケース部に対して断面寸法を縮小され、
１．４．第一の支持板には少なくとも１つの環状鉄心変流器が載置されていることによって解決される。
このようにケーブル接続ケースを上側のケース部と下側のケース部とに分割することによりかつ上側のケース部の断面積を下側のケース部に対して小さくすることにより、上側のケース部を越えて横方向に突出する第一の支持板により実際上少なくとも１つの環状鉄心を載置する載置台が構成される。断面積を縮小した上側のケース部により環状鉄心の直径が公知の寸法に対して著しく小さく保たれるので、すなわちコンパクトな外形寸法になるので、それに基づく材料の減少により既に著しくコストが節減される。必要に応じてこの第一の支持板には付加的な環状鉄心変流器を取付けることもできる。
本発明の有利な実施態様によれば、
２．１．下側のケース部が下側のケース部を越えて横方向に突出する第二の支持板によって外部に対して気密に閉鎖され、
２．２．第二の支持板には上側のケース部の環状鉄心変流器に無関係なもう１つの環状鉄心変流器が取付けられている。
これにより、必要な場合上側の支持板に設けられた環状鉄心変流器とは無関係なもう１つの環状鉄心変流器を端子部に設ける可能性が得られる。
さらに本発明の有利な実施態様によれば、
３．１．第一の支持板及び第二の支持板が円形に形成され、
３．２．第一の支持板及び第二の支持板が、全ての環状鉄心変流器をそのそれぞれのコイルケースとともに対応の第一及び第二の支持板によって支持できる大きさを有する。
第一及び第二の支持板の形状が円形に形成されることにより対応の環状鉄心変流器は全面で支持される。
本発明を図面に示す実施例により詳しく説明する。この実施例では密閉形中圧開閉設備の主要部分が一部概略的に開放された断面図で示されている。さらに本発明をより理解し易くするために中圧開閉設備の構成部分も開閉設備内の据え付け状態においてのみ、しかし変流装置と直接には接続されていない形で示されている。
中圧開閉設備は、主として、特に内部に真空バルブＶＳＲが配置されている遮断器ケースＬＳＧと、この遮断器ケースＬＳＧの上に配置され内部に母線ＳＳＥが収納されている母線ケースＳＳＧとを有する。母線ＳＳＥとこれに対応する真空バルブＶＳＲとの間の接続は母線ケースＳＳＧ内部においてそこに配置された３点切替開閉器ＤＳＳにより行われる。遮断器ケースＬＳＧの下側には取付け板ＰＴＰが配置され、この取付け板ＰＴＰにケーブル接続ケースＫＡＧが取付けられている。遮断器ケースＬＳＧもケーブル接続ケースＫＡＧも保護ガスで充填され、気密に閉鎖されている。ケーブル接続ケースＫＡＧは上側のケース部ＧＴＯと下側のケース部ＧＴＵとに分割されている。下側のケース部ＧＴＵにある符号が付されていないケーブル接続部は、上側のケース部ＧＴＯと下側のケース部ＧＴＵとを通して導かれている対応の電流導体ＳＴＳを介して真空バルブＶＳＲと接続されている。さらに図から明らかなように、ケーブル接続ケースＫＡＧの上側のケース部ＧＴＯは、同時に電流導体ＳＴＳを貫通させるために貫通領域ＤＧＢを備えている第一の支持板ＴＰ１によって閉鎖されている。上側のケース部ＧＴＯは断面積が下側のケース部ＧＴＵに対して縮小されているので、上側のケース部ＧＴＯを越える第一の支持板ＴＰ１によりそこに設けられる環状鉄心変流器ＲＫＷに対して最適な支持部が構成される。さらにまた図面から明らかなように、ケーブル接続ケースＫＡＧの下側のケース部ＧＴＵは第二の支持板ＴＰ２によって気密に閉鎖され、第二の支持板ＴＰ２は同様に下側のケース部ＧＴＵを越え、そこに設けられる環状鉄心変流器ＲＫＷ’のコイルケースＳＰＧの支持部として用いられている。ケーブル接続ケースＫＡＧは全体に基台ＧＳＴに載置されているので、環状鉄心変流器ＲＫＷもしくはＲＫＷ’の全てのコイルケースＳＰＧは端子部ＦＡＳの範囲で外部から接近可能である。
取付け板ＰＴＰの下側のこの変流器構成により、環状鉄心変流器を後から設置することも或いは交換することも予め真空バルブＶＳＲを分解することなく可能である。環状鉄心変流器ＲＫＷ、ＲＫＷ′の据付けはそれ故中圧開閉設備を構築する組立工程の終わりに行うことができる。
0003672568.tif 000002